(57)【特許請求の範囲】
【請求項１】
第１のメディアコンバータと第２のメディアコンバータとを第１の伝送媒体で相互接続したメディアコンバータシステムにおいて、
前記第１の伝送媒体と異種の第２の伝送媒体とを相互に接続する第１の接続部と、前記第１の伝送媒体を介して前記第２のメディアコンバータに対し所定の通信モードに設定するように要求する通信モード設定要求部と、を少なくとも有する前記第１のメディアコンバータと、
前記第１の伝送媒体と異種の第３の伝送媒体とを相互に接続する第２の接続部と、前記第１のメディアコンバータにより指定された所定の通信モードに設定する通信モード設定部と、少なくとも通信モードの設定を制御する制御部と、を少なくとも有する前記第２のメディアコンバータと、
を具備し、
前記第２のメディアコンバータの前記第２の接続部は、少なくとも、前記第３の伝送媒体の側のポートである第１のポートと、前記第１の伝送媒体の側のポートである第２のポートと、前記通信モード設定部および前記制御部の側のポートである第３のポートを有するＭＡＣスイッチを有し、
前記第１のメディアコンバータは、前記ＭＡＣスイッチの前記第３のポートに登録されたＭＡＣアドレスを宛先として、所定の通信モードに設定するための通信モード設定要求フレームを送信することを特徴とするメディアコンバータシステム。
【請求項２】
前記第２のメディアコンバータは、前記設定した通信モードにより前記第３の伝送媒体の他端に接続されている通信装置との間でリンクの確立を試みるリンク確立部と、前記リンク確立の成否を判定し判定結果を前記第１のメディアコンバータに通知する通知部と、を更に有することを特徴とする請求項１に記載のメディアコンバータシステム。
【請求項３】
前記所定の通信モードは、伝送速度、および、全二重通信方式または半二重通信方式である通信方式を含み、伝送速度および前記通信方式を組み合わせることを特徴とする請求項１または請求項２に記載のメディアコンバータシステム。
【発明の詳細な説明】
【０００１】
【発明の属する技術分野】
本発明は、加入者側メディアコンバータと局側メディアコンバータを通信回線で接続して構成され、局側メディアコンバータから加入者側メディアコンバータの通信モードを設定する機能を備えたメディアコンバータシステムに関するものである。
【０００２】
【従来の技術】
一般的に、利用者の端末などが接続されている加入者側メディアコンバータは電気通信事業者の設備であるため、電気通信事業者が加入者側メディアコンバータの運用管理や保守を行う必要がある。しかし、従来のメディアコンバータシステムにおいては、局側メディアコンバータから、通信回線を介して接続されたリモートの加入者側メディアコンバータの通信モードを設定したり変更することはできなかった。
【０００３】
このような不都合を解消するための方法として、加入者側のメディアコンバータにＩＰ(Internet Protocol)アドレスを付与し、リモートから直接的に加入者側メディアコンバータにアクセスして通信モードを設定する方法が考えられる。しかし、この方法によれば、加入者側のメディアコンバータに付与された多くのＩＰアドレスを個々に管理しなければならならず、ＩＰアドレスの管理が煩雑となる。また、現在のＩＰアドレスが枯渇状態にあることからも、多くのＩＰアドレスを必要とすることは好ましくない。さらに、ＩＰアドレスを知り得た第三者が加入者側メディアコンバータの通信モードを自由に設定・変更し得るため、セキュリティ上も問題がある。
【０００４】
上記したように、従来のメディアコンバータシステムにおいては、加入者側メディアコンバータの通信モードを設定したり変更するためには、保守管理者などが加入者側メディアコンバータの設置場所に直に出向いて通信モードの設定や変更の作業を行わなければないため、保守管理性が良くないという問題があった。
【０００５】
【発明が解決しようとする課題】
本発明は、このような事情に鑑みてなされたもので、局側メディアコンバータからリモートにある加入者側メディアコンバータの通信モードを設定する機能を備えたメディアコンバータシステムを提供することを目的とする。
【０００６】
【課題を解決するための手段】
この発明は、上記の課題を解決すべくなされたもので、請求項１に記載の発明は、第１のメディアコンバータと第２のメディアコンバータとを第１の伝送媒体で相互接続したメディアコンバータシステムにおいて、前記第１の伝送媒体と異種の第２の伝送媒体とを相互に接続する第１の接続部と、前記第１の伝送媒体を介して前記第２のメディアコンバータに対し所定の通信モードに設定するように要求する通信モード設定要求部と、を少なくとも有する前記第１のメディアコンバータと、前記第１の伝送媒体と異種の第３の伝送媒体とを相互に接続する第２の接続部と、前記第１のメディアコンバータにより指定された所定の通信モードに設定する通信モード設定部と、少なくとも通信モードの設定を制御する制御部と、を少なくとも有する前記第２のメディアコンバータと、を具備し、前記第２のメディアコンバータの前記第２の接続部は、少なくとも、前記第３の伝送媒体の側のポートである第１のポートと、前記第１の伝送媒体の側のポートである第２のポートと、前記通信モード設定部および前記制御部の側のポートである第３のポートを有するＭＡＣスイッチを有し、前記第１のメディアコンバータは、前記ＭＡＣスイッチの前記第３のポートに登録されたＭＡＣアドレスを宛先として、所定の通信モードに設定するための通信モード設定要求フレームを送信することを特徴とするメディアコンバータシステムである。
【０００７】
請求項２に記載の発明は、請求項１に記載のメディアコンバータシステムにおいて、前記第２のメディアコンバータは、前記設定した通信モードにより前記第３の伝送媒体の他端に接続されている通信装置との間でリンクの確立を試みるリンク確立部と、前記リンク確立の成否を判定し判定結果を前記第１のメディアコンバータに通知する通知部と、を更に有することを特徴とする。請求項３に記載の発明は、請求項１または請求項２に記載のメディアコンバータシステムにおいて、前記所定の通信モードは、伝送速度、および、全二重通信方式または半二重通信方式である通信方式を含み、伝送速度および前記通信方式を組み合わせることを特徴とする。
【０００８】
【発明の実施の形態】
以下、本発明の実施の形態によるメディアコンバータシステムを図１を参照して説明する。図１は同実施の形態によるメディアコンバータシステムを適用したネットワークシステムの概略構成を示すシステム構成図である。図１において、ネットワークシステムは、ＳＮＭＰ(Simple Network Management Protocol)マネージャ２００と、ＬＡＮ(Local Area Network)１００を介してＳＮＭＰマネージャ２００と接続する集線装置３００を含んで構成される。集線装置３００は、光ファイバケーブル７００を介して加入者側メディアコンバータ４００と接続する。加入者側メディアコンバータ４００は、ツイストペアケーブル６３０を介して端末５００と接続する。ＳＮＭＰマネージャ２００は、ネットワークシステムを構成する各装置から状態情報などを収集したり、各装置を所定の状態に設定するなどネットワークの管理を行う。集線装置３００は、ＳＮＭＰユニット３１０と、複数の局側メディアコンバータ３２００と、ハブ（ＳＷ−ＨＵＢ）３３０を備える。そして、メディアコンバータシステムは、加入者側メディアコンバータ４００、局側メディアコンバータ３２００、および、光ファイバケーブル７００で構成される。ＳＮＭＰユニット３１０は、ＳＮＭＰマネージャ２００からの要求によりメディアコンバータシステムの状態をＳＮＭＰマネージャ２００に報告したり、メディアコンバータシステムを所定の状態に設定するなどの保守管理機能を備える。ハブ３３０は、複数の局側メディアコンバータ３２００を収容して集線しＬＡＮ１００に接続する。光ファイバケーブル７００は、加入者側メディアコンバータ４００と局側メディアコンバータ３２００とを接続する。
【０００９】
加入者側メディアコンバータ４００は、ツイストペアケーブル６３０と光ファイバケーブル７００を相互接続する機能、および自身を対向する局側メディアコンバータ３２００から指定された所定の通信モードに設定し、端末５００との間でリンクの確立を試みる機能を有する。また、局側メディアコンバータ３２００は、ツイストペアケーブル６４０と光ファイバケーブル７００を相互接続する機能、および対向する加入者側メディアコンバータ４００に対して所定の通信モードに設定させるとともに、自身の通信モードを設定する機能を有する。
【００１０】
また、加入者側メディアコンバータ４００および局側メディアコンバータ３２００の通信モードとして、それぞれ、例えば、伝送速度として１０Ｍｂｐｓ固定または１００Ｍｂｐｓ固定と、通信方式として全二重通信方式または半二重通信方式と、を組み合わせたモード、または通信相手に合わせて伝送速度および通信方式を調整する自動ネゴシエーションのモードに設定または変更することが可能となっている。ここでは、局側メディアコンバータ３２００の通信モードは自動ネゴシエーションのモードに設定されているものとする。
【００１１】
次に、図２を参照して本実施の形態によるメディアコンバータシステムを構成する加入者側メディアコンバータおよび局側メディアコンバータの構成を詳細に説明する。図２は図１の加入者側メディアコンバータ４００および局側メディアコンバータ３２００の構成を示すブロック図である。図２において、４０２，３２０３，３２２３は、ツイストペアケーブルからの電気信号を受信して物理層レベルのプロトコルで受信処理を行うための１００ＢＡＳＥ-ＴＸ規格に準拠した受信回路、４０４，３２０４は、物理層レベルのプロトコルで送信処理を行って光ファイバケーブルへ信号を送出する１００ＢＡＳＥ-ＦＸ規格に準拠した送信回路、４１２，３２１２は、光ファイバケーブルからの電気信号を受信して物理層レベルのプロトコルで受信処理を行うための１００ＢＡＳＥ-ＦＸ規格に準拠した受信回路、４１３，３２１３，３２２２は、物理層レベルのプロトコルで送信処理を行ってツイストペアケーブルへ信号を送出する１００ＢＡＳＥ-ＴＸ規格に準拠した送信回路である。
【００１２】
ここで、４０３はＭＡＣスイッチである。このＭＡＣスイッチ４０３は、ＬＡＮ用の機器として一般的なスイッチングＨＵＢの機能として実現されたものである。具体的には、ＭＡＣスイッチは、複数のデータ送受信ポートを持ち、以下の機能１〜機能３を有する。
（機能１）受信データの送信元ＭＡＣアドレスフィールドをみて、通信装置が自装置のどの送受信ポートにいるかを自動学習し、内部のアドレステーブル（ＭＡＣアドレスとポート番号の対応表）を構築する。
（機能２）受信データの宛先ＭＡＣアドレスフィールドをみて、アドレステーブルに登録されているかどうかにより、出力ポートを決定しそのポートにのみ送信する。
（機能３）アドレステーブルにあらかじめ特定のアドレスを特定のポートに対応させて書き込んでおき、当該アドレスを宛先アドレスとするフレームを意図したポートに出力する。
【００１３】
本実施の形態では、ＴＰ側インターフェースをポート１、光インターフェースをポート２とし、制御部につながるデータ送受信装置をポート３とした時、局側メディアコンバータから送信される「通信モード設定要求フレーム」の宛先ＭＡＣアドレスを、あらかじめポート３のアドレスフィールドに書き込んでおくことで、ＭＡＣスイッチは、ポート３にのみこのデータを転送し、制御部が確実に当該データフレームを受信する。かつ、ＴＰインターフェース（ポート１）側への当該データの転送を行わないので、メディアコンバータ間のローカルな通信でやり取りされるフレームが外部（ＴＰインターフェース）へ漏洩することを防止することができる。
【００１４】
４０５および３２０５は、電気信号を光信号に変換する電気光変換器（Ｅ／Ｏ）、４１１，３２１１は光信号を電気信号に変換する光電気変換器（Ｏ／Ｅ）である。データ受信部４２１は、ＭＡＣスイッチ４０３を介して通信モードの設定に関する情報を受信し、データ送信部４２２は通信モードを設定して、コネクタ４０１側に接続される端末との間でリンクの確立を試みた結果を送信する。４３０は、加入者側メディアコンバータ４００を構成する各部を制御する機能を有し、局側メディアコンバータ３２００から要求された通信モードの設定要求に応じて、通信モードを指定された伝送速度および通信方式に設定したり、設定した通信モードで端末との間のリンクの確立を制御したり、設定した通信モードでデータ転送を行うように制御する制御部である。
【００１５】
そして、３２０２は、通常のデータ転送の場合には受信回路３２０３および送信回路３２１３をＬＡＮにコネクタ３２０１を介して接続し、通信モードを設定する場合には受信回路３２０３および送信回路３２１３を送信回路３２２２および受信回路３２２３に接続するように切り替える切替スイッチである。また、データ生成部３２２１は、加入者側メディアコンバータ４００の通信モードを設定するための情報を生成し、データ受信部３２２４は、加入者側メディアコンバータ４００から送られてきたリンクの確立結果などを受信する。３２２０は、局側メディアコンバータ３２００を構成する各部を制御する機能を有し、ＳＮＭＰユニットからの通信モードの設定要求に応じて、対向する加入者側メディアコンバータ４００に通信モードの設定を要求したり、加入者側メディアコンバータ３２００の通信モードに合わせてデータ転送を行うように制御する機能を有する制御部である。
【００１６】
次に、本実施の形態によるメディアコンバータシステムの通信モードの設定動作について図３を参照して説明する。図３は、本実施の形態によるメディアコンバータシステムの通信モード設定の動作を示すフローチャートである。図３において、ＳＮＭＰユニット３１０は、ＳＮＭＰマネージャ２００から通信モードの設定要求を受信すると、対応した局側メディアコンバータ３２００に通信モードの設定を要求する(ステップＳ１)。通信モードの設定要求を受信した局側メディアコンバータ３２００は、切替スイッチ３２０２を制御してＬＡＮインタフェース側の送受信を停止して通常のデータ転送を停止する(ステップＳ２)。また、局側メディアコンバータ３２００は、対向した加入者側メディアコンバータ４００にデータ生成部３２２１で生成した情報を送信し通信モードの設定要求を行う(ステップＳ３)。
【００１７】
次に、通信モードの設定要求を受信した加入者側メディアコンバータ４００は、データ受信部４２１で受信した通信モード設定に関する情報をもとに自身の通信モードを指定された通信モードに設定し、端末５００との間でリンクの確立を試み、リンクの確立結果の成否を判定する(ステップＳ４)。そして、加入者側メディアコンバータ４００は、リンクの確立結果を局側メディアコンバータ３２００に通知する(ステップＳ５)。局側メディアコンバータ３２００は、受信したリンクの確立結果をＳＮＭＰユニット３１０に通知するとともに、切替スイッチ３２０２を制御してＬＡＮインタフェース側の送受信禁止を解除する(ステップＳ６)。
【００１８】
なお、上記した本実施の形態では、局側メディアコンバータ３２００の通信モードを自動ネゴシエーションのモードとしたが、加入者側メディアコンバータ４００と同一の通信モードに設定するようにしてもよい。
また、上記した本実施の形態では、１台の加入者側メディアコンバータの通信モードを設定する場合について説明したが、同様にして、複数またはすべての加入者側メディアコンバータの通信モードを同時に設定することも可能である。
【００１９】
【発明の効果】
以上説明したように、この発明によれば、ＳＮＭＰユニットから通信モードの設定要求を受信した局側メディアコンバータは、対向する加入者側メディアコンバータに対して通信モードの設定を要求し、加入者側メディアコンバータは自身を指定された通信モードに設定するとともに、端末との間でリンクの確立を試みて、その結果を局側メディアコンバータに通知するようにしたので、通信事業者の保守管理者はリモートから加入者側メディアコンバータの通信モードを設定することが可能となり、保守管理性が向上する。
【００２０】
また、電気通信事業者の保守管理者がリモートから加入者側の通信回線の伝送速度や通信方式を制御できるため、ネットワークシステムのトラフィック管理や課金を適切に行うことが可能になる。
さらに、加入者側メディアコンバータと局側メディアコンバータの間のやり取りは独自の手順で行うため、外部の第三者により制御されることがなく、セキュリティを向上させることができる。
【図面の簡単な説明】
【図１】  この発明の一実施形態によるメディアコンバータシステムを適用したネットワークシステムの概略構成を示すシステム構成図である。
【図２】  同実施形態によるメディアコンバータシステムの構成を示すブロック図である。
【図３】  同実施形態によるメディアコンバータシステムの通信モードの設定動作を示すフローチャートである。
【符号の説明】
１００…ＬＡＮ、２００…ＳＮＭＰマネージャ、３００…集線装置、３１０…ＳＮＭＰユニット、３３０…ハブ（ＳＷ−ＨＵＢ）、４００…加入者側メディアコンバータ、４０１，３２０１…コネクタ、４０２，３２０３，３２２３…受信回路（１００Ｂ−ＴＸ  ＰＨＹ（Ｒｘ））、４０３…ＭＡＣスイッチ、４０４，３２０４…送信回路（１００Ｂ−ＦＸ  ＰＨＹ（Ｔｘ））、４０５，３２０５…電気光変換器（Ｅ／Ｏ）、４１１，３２１１…光電気変換器（Ｏ／Ｅ）、４１２，３２１２…受信回路（１００Ｂ−ＦＸ  ＰＨＹ（Ｒｘ））、４１３，３２１３，３２２２…送信回路（１００Ｂ−ＴＸ  ＰＨＹ（Ｔｘ））、４２１…データ受信部、４２２…データ送信部、４３０，３２２０…制御部、４４０…電圧変換部、４５０…ＡＣアダプタ、５００…端末、６１０，６２０，６３０，６４０…ツイストペアケーブル、７００…光ファイバケーブル、３２００…局側メディアコンバータ、３２０２…切替スイッチ、３２２１…データ生成部、３２２４…データ受信部、３２３０…光コネクタ（ＳＣ）。
【図１】
0004554102.tif 000002
【図２】
0004554102.tif 000003
【図３】
0004554102.tif 000004